(57)【要約】【課題】  筐体上部に開閉可能に取り付けられた上面蓋体部との間に媒体搬送路を形成する内部カバーが開いた際にも、情報記録媒体の落下を防止することのできる良好な媒体搬送機構を提供する。【解決手段】  カード画像情報読み取り部４０は、筐体１１ａの上部に開閉可能に取り付けられる上面蓋体部１３と、上面蓋体部１３に設けられたカード画像読み取りセンサ４４と、筐体１１ａの上部と上面蓋体部１３との間に配置され、上面蓋体部１３に開閉可能に取り付けられた内部カバー４２と、内部カバー４２の閉状態において、内部カバー４２と上面蓋体部と１３の間に形成されるカード搬送路４１と、上面蓋体部１３の開閉動作に連動して、上面蓋体部１３の開状態時にカード搬送路４１内に突出することによりカードＣを挟持して落下を阻止するストッパ機構１００とを備える。【選択図】  図１
2005072894.tif 000002
【特許請求の範囲】
【請求項１】
筐体上部に開閉可能に取り付けられる上面蓋体部と、
前記上面蓋体部に設けられ、情報記録媒体に記録された情報を読み取る情報読取手段と、
前記筐体上部と前記上面蓋体部との間に配置され、前記上面蓋体部に開閉可能に取り付けられた内部カバーと、
内部カバー閉状態において、前記内部カバーと前記上面蓋体部との間に形成され、前記情報記録媒体が搬送される媒体搬送路と、
前記上面蓋体部の開閉動作に連動して、上面蓋体部開状態時に前記媒体搬送路内に突出することにより前記情報記録媒体の移動を阻止する媒体移動阻止手段と、
を備えたことを特徴とする媒体搬送機構。
【請求項２】
前記媒体移動阻止手段が、前記内部カバー又は前記上面蓋体部に回動可能に取り付けられ、前記上面蓋体部開状態において係合部が前記筐体上部に係合することによりストッパ部が前記媒体搬送路内に突出する回動部材と、
前記上面蓋体部閉状態において前記情報記録媒体の移動を許容するように前記ストッパ部を退避位置に保持する保持手段と、
を有することを特徴とする請求項１に記載の媒体搬送機構。
【請求項３】
前記媒体移動阻止手段が、前記内部カバー又は前記上面蓋体部に回動可能に取り付けられ、前記上面蓋体部開状態においてストッパ部が前記媒体搬送路内に突出するように弾性付勢される回動部材と、
前記上面蓋体部閉状態において前記情報記録媒体の移動を許容するように前記ストッパ部を退避位置に保持する保持手段と、
を有することを特徴とする請求項１に記載の媒体搬送機構。
【請求項４】
前記ストッパ部が、前記情報記録媒体を挟持可能な弾性接触部を備えることを特徴とする請求項２又は請求項３に記載の媒体搬送機構。
【請求項５】
前記弾性接触部が、前記回動部材に揺動可能に取り付けられた挟持片と、
前記挟持片を挟持方向へ弾性的に付勢するバネ部材と、
を有することを特徴とする請求項４に記載の媒体搬送機構。
【発明の詳細な説明】
【技術分野】
【０００１】
本発明は、情報記録媒体に記録された情報を読み取る手段を備えた機器に組み込まれる媒体搬送機構に関するものである。
【背景技術】
【０００２】
近年、免許証や写真入りクレジットカード等のカード状の情報記録媒体に記録された情報を読み取るスキャナ装置や、磁気カード等の磁気記録媒体に記録された情報を読み取る磁気カードリーダなどの情報読取手段（例えば、特許文献１参照）が、連続紙への印字機能とスリップ紙への印字機能を兼ね備えた複合プリンタ（例えば、特許文献２参照）とともに店舗等に設置されることがある。
【０００３】
このように、複合プリンタとともに情報読取手段を配置するにあたって、店舗スペースが狭小で設置スペースが限られているような場合には、装置２台分の設置スペースを確保するのが困難である。
そこで、スリップ紙への印字と、連続紙への印字と、情報記録媒体上の情報の読み取りを１台で行うことができる情報読取手段付きプリンタが提案されている。
【０００４】
図１０乃至図１３は、本出願人によって先に提案された「画像読取りセンサ付きプリンタ」の構成例を示す図であり、図１０は同プリンタの外観斜視図、図１１は同プリンタの部分断面図、図１２は同プリンタにおいて上面蓋体部が開かれた状態を示す断面図、図１３は上面蓋体部が開かれた状態において更に内部カバーが開かれた状態を示す断面図である。
【０００５】
この画像読取りセンサ付きプリンタ１０は、ロール紙とスリップ紙の双方への印刷機能と、免許証や写真入りクレジットカード等の認証媒体上に記録された画像情報を読み取るスキャナ機能とを備えるもので、図１０に全体構成を示すように、ロール紙への印字機構等を備える背面側筐体部１１と、この背面側筐体部１１の正面側に設けられた正面側筐体部１２と、背面側筐体部１１の上面側を覆うように取り付けられた上面蓋体部１３とを一体に有している。
【０００６】
背面側筐体部１１と正面側筐体部１２の間にはスリップ紙搬送路２１が設けられている。図１０中、２１ａはスリップ紙挿入口、２１ｂはスリップ紙排出口である。スリップ紙搬送路２１に沿った位置には、図示略のスリップ紙印字機構やスリップ紙画像情報読み取りセンサなどが配設されている。
【０００７】
また、図１１に示すように、背面側筐体部１１と上面側蓋体部１３との間にはロール紙搬送路３５が形成されている。背面側筐体部１１の内部にはドロップイン方式のロール紙収納部３０が設けられており、このロール紙収納部３０に収納されたロール紙Ｐはロール紙搬送路３５に沿って送り出され、背面側筐体部１１の筐体１１ａと上面蓋体部１３の上面カバー１３ａとの間に開口したロール紙排出口３５ａから外部へ排出される。その際、ロール紙搬送路３５の途中に設けた印字機構３３によって必要なデータが印字される。
【０００８】
上面蓋体部１３は、自身の背面側下部に位置するヒンジ部５２を介して、背面側筐体部１１の上部に上下方向回動可能に取り付けられており、図１２に示すように、このヒンジ部５２を支点にして上に持ち上げることにより、ロール紙収納部３０の上面を開放して、そこからロール紙Ｐの交換ができるようになっている。
【０００９】
更に、このように上方に持ち上げ可能とされた上面蓋体部１３には、カード（認証媒体）Ｃに記録された画像情報を読み取るカード画像情報読み取り部（媒体搬送機構）４０が設けられている。
このカード画像情報読み取り部４０は、上面カバー１３ａと、ロール紙収納部３０との間に設けられており、ロール紙やスリップ紙に比べて厚手のカードＣがカード挿入口４１ａからカード搬送路４１内に挿入されると、該カードＣ上の画像情報を読み取ることができるように構成されている。
【００１０】
カード画像情報読み取り部４０において、カード搬送路４１の上面側、すなわち上面カバー１３ａ側には、第１送りローラ４３ａ、カード画像情報読み取りセンサ（情報読取手段）４４および第２送りローラ４６ａが、カード搬送路４１に沿って配置されている。一方、カード搬送路４１の下面側、すなわちロール紙収納部３０側には、第１押さえローラ４３ｂ、押しつけローラ４５および第２押さえローラ４６ｂが、それぞれ第１送りローラ４３ａ、カード画像情報読み取りセンサ４４および第２送りローラ４６ａと対向する位置に配置されている。
【００１１】
第１送りローラ４３ａおよび第１押さえローラ４３ｂは、カード挿入口４１ａとカード画像情報読み取りセンサ４４との間（カード画像情報読み取りセンサ４４の上流側）に配置されており、カード搬送路４１内に挿入されたカードＣをカード搬送路４１に沿って前後に搬送可能に構成されている。
第１送りローラ４３ａおよび第１押さえローラ４３ｂによって搬送されたカードＣは、カード画像情報読み取りセンサ４４と押しつけローラ４５との間に送られる。第２送りローラ４６ａおよび第２押さえローラ４６ｂは、カード画像情報読み取りセンサ４４の下流側に配置されており、カード搬送路４１内に挿入されたカードＣをカード搬送路４１に沿って前後に搬送可能に構成されている。
【００１２】
また、第２送りローラ４６ａおよび第２押さえローラ４６ｂの下流側であって、カード搬送路４１と上面カバー１３ａとの交差する位置には、張り出し開口４１ｂが開口している。この張り出し開口４１ｂは、カード搬送路４１内のカードＣが、第２送りローラ４６ａおよび第２押さえローラ４６ｂによってニップされた状態でカード搬送路４１の下流側に送り出された際、一時的に画像読み取りセンサ付きプリンタ１０の背面側から張り出すことを許容するものである。
【００１３】
実際の読み取り動作時には、カード挿入口４１ａから挿入されたカードＣが、第１送りローラ４３ａおよび第１押さえローラ４３ｂならびに第２送りローラ４６ａおよび第２押さえローラ４６ｂによって、カード挿入口４１ａ側から張り出し開口４１ｂに向かって搬送され、完全にカード画像情報読み取りセンサ４４を通過する位置まで一旦搬送される。  次に、第１送りローラ４３ａおよび第２送りローラ４６ａを逆転駆動することによって、カードＣをカード挿入口４１ａ側に送り出す。そして、カードＣがカード画像情報読み取りセンサ４４の読み取り面４４ａ上を通過すると、カード画像情報読み取りセンサ４４によってカードＣ表面の文字または画像情報が読み取られる。カードＣは、読み取り終了後、カード挿入口４１ａから画像読み取りセンサ付きプリンタ１０外部に排出される。
【００１４】
前記ロール紙収納部３０側に配置された第１押さえローラ４３ｂ、押しつけローラ４５および第２押さえローラ４６ｂは、カード搬送路４１とロール紙収納部３０との間に配置された内部カバー４２に取り付けられている。
内部カバー４２は、図１１乃至１３に示すように、自身の後端側（前記プリンタ１０の背面側）に配したヒンジ部５５を介して上面蓋体部１３に対して開閉動作可能に取り付けられており、図１１及び図１２に示すように、上面蓋体部１３に対して閉じた状態において、該内部カバー４２と上面蓋体部１３との間にカード搬送路（媒体搬送路）４１を形成する。
【００１５】
また、図１３に示すように、上面蓋体部１３が開かれた状態で、内部カバー４２の正面側を前記プリンタ１０の正面側に向かって引き出すことにより、カード搬送路４１を開放することができ、それにより、画像読み取りセンサ付きプリンタ１０の正面側からカード搬送路４１の各種部材のメンテナンスや、カードＣが内部で詰まった場合の取り出しが行えるようになっている。
【００１６】
【特許文献１】特開平１１−２８４８０１号公報
【特許文献２】特開２００１−３４１３６９号公報
【発明の開示】
【発明が解決しようとする課題】
【００１７】
しかしながら、上述した画像読み取りセンサ付きプリンタ１０においては、図１３に示したように上面蓋体部１３を略垂直な開状態にした状態で内部カバー４２を開状態にすると、その瞬間に、カード搬送路４１に沿って配置された上記各ローラ間に挟持されていたカードＣが、支持を失って当該プリンタ１０の背面側に位置する張り出し開口４１ｂから落下（矢印Ｆ３の方向に落下）してしまう可能性があることが分かった。
【００１８】
特に、この画像読み取りセンサ付きプリンタ１０は、カードＣをカード挿入口４１ａから差し込んで、再びカード挿入口４１ａから排出する形式のものであって、背面の張り出し開口４１ｂからカードＣを排出することを意図したものではないから、筐体の背面を壁等に近寄せて設置されることが多く予想される。このため、画像読み取りセンサ付きプリンタ１０の背面側にカードＣが落下すると、取り出すのが非常に面倒になるという事情も存在する。
【００１９】
従って、本発明の目的は上記課題を解消すること係り、筐体上部に開閉可能に取り付けられた上面蓋体部との間に媒体搬送路を形成する内部カバーが開いた際にも、情報記録媒体の落下を防止することのできる良好な媒体搬送機構を提供することである。
【課題を解決するための手段】
【００２０】
本発明の上記目的は、筐体上部に開閉可能に取り付けられる上面蓋体部と、前記上面蓋体部に設けられ、情報記録媒体に記録された情報を読み取る情報読取手段と、前記筐体上部と前記上面蓋体部との間に配置され、前記上面蓋体部に開閉可能に取り付けられた内部カバーと、内部カバー閉状態において、前記内部カバーと前記上面蓋体部との間に形成され、前記情報記録媒体が搬送される媒体搬送路と、前記上面蓋体部の開閉動作に連動して、上面蓋体部開状態時に前記媒体搬送路内に突出することにより前記情報記録媒体の移動を阻止する媒体移動阻止手段と、を備えたことを特徴とする媒体搬送機構により達成される。
【００２１】
尚、好ましくは前記媒体移動阻止手段が、前記内部カバー又は前記上面蓋体部に回動可能に取り付けられ、前記上面蓋体部開状態において係合部が前記筐体上部に係合することによりストッパ部が前記媒体搬送路内に突出する回動部材と、前記上面蓋体部閉状態において前記情報記録媒体の移動を許容するように前記ストッパ部を退避位置に保持する保持手段と、を有する。
【００２２】
又、好ましくは前記媒体移動阻止手段が、前記内部カバー又は前記上面蓋体部に回動可能に取り付けられ、前記上面蓋体部開状態においてストッパ部が前記媒体搬送路内に突出するように弾性付勢される回動部材と、前記上面蓋体部閉状態において前記情報記録媒体の移動を許容するように前記ストッパ部を退避位置に保持する保持手段と、を有する。
【００２３】
又、好ましくは前記ストッパ部が、前記情報記録媒体を挟持可能な弾性接触部を備えている。
【００２４】
又、好ましくは前記弾性接触部が、前記回動部材に揺動可能に取り付けられた挟持片と、前記挟持片を挟持方向へ弾性的に付勢するバネ部材と、を有する。
【発明の効果】
【００２５】
本発明の媒体搬送機構によれば、上面蓋体部が開状態時には、媒体搬送路内に媒体移動阻止手段が突出して情報記録媒体の移動を阻止するので、上面蓋体部を開状態にして更に内部カバーを開いた際にも、情報記録媒体の落下を防止することができる。
そこで、筐体背面側への情報記録媒体の落下を心配せずに、上面蓋体部に取り付けられた内部カバーを開くことができ、作業がしやすくなる。なお、媒体移動阻止手段により落下を防止された情報記録媒体は、媒体搬送路の上流側又は下流側に押し出すか、内部カバーの開放部より摘み出すかして、簡単に取り出すことができる。
【発明を実施するための最良の形態】
【００２６】
以下、添付図面に基づいて本発明の一実施形態に係る媒体搬送機構を詳細に説明する。  但し、本発明の一実施形態に係る媒体搬送機構を備えた画像読み取りセンサ付きプリンタは、基本構成において図１０乃至図１３に示した画像読取りセンサ付きプリンタ１０と略同様であるので、同様の構成については同符号を付して詳細な説明を省略する。
【００２７】
図１に示すように、本実施形態の画像読取りセンサ付きプリンタにおいて、カード画像読み取り部４０を備える上面蓋体部１３は、背面側筐体部１１の筐体１１ａ上部に、ヒンジ部５２を介して開閉動作可能に取り付けられている。
上面蓋体部１３のカード搬送路４１の上面側には、第１送りローラ４３ａ、カード（カード状の情報記録媒体）Ｃに記録された情報を読み取るカード画像情報読み取りセンサ（情報読取手段）４４および第２送りローラ４６ａが配置されている。また、カード搬送路４１の下面側には、第１押さえローラ４３ｂ、押しつけローラ４５および第２押さえローラ４６ｂが配置されている。
【００２８】
そして、カード搬送路４１の下面側に位置する第１押さえローラ４３ｂ、押しつけローラ４５および第２押さえローラ４６ｂは、内部カバー４２に取り付けられている。この内部カバー４２は、ヒンジ部５５を介して上面蓋体部１３に対し開閉動作可能に取り付けられており、図１に示すように、上面蓋体部１３に対して閉じた状態において、該内部カバー４２と上面蓋体部１３との間にカード搬送路（媒体搬送路）４１を形成する。
【００２９】
更に、上面蓋体部１１の背面側に設けられた張り出し開口４１ｂと第２押さえローラ４６ｂとの間に、上面蓋体部１３を開いた状態においてカードＣの移動を阻止する媒体移動阻止手段であるストッパ機構１００が設けられている。
このストッパ機構１００は、上面蓋体部１３を開いた状態において、更にオープンレバー７０を操作して内部カバー４２を開いたときに、張り出し開口４１ｂからのカードＣの落下を防止するためのものであり、内部カバー４２を回動自在に支持するヒンジ部５５よりも背面側に配置されている。尚、本実施形態では、図５および図６に示したように、ストッパ機構１００は上面蓋体部１３側に取り付けられているが、内部カバー４２側に取り付けることもできる。
【００３０】
本実施形態に係るストッパ機構１００は、図２乃至図６に示すように、上面蓋体部１３の開閉動作に連動して、上面蓋体部１３の開状態時にカード搬送路４１内に突出することによりカードＣの移動（特に張り出し口４１ｂからの落下）を阻止するものであり、上面蓋体部１３に支軸１１１を介して回動可能に支持された回動レバー（回動部材）１０１と、この回動レバー１０１に支軸１２１を介して揺動可能に取り付けられることによりカードＣを挟持可能な弾性接触部を備えたストッパ部を構成する挟持片１０２及びねじりコイルバネ１０４と、上面蓋体部１３の開状態時にカードＣの移動を許容するように前記挟持片１０２を退避位置に保持する保持手段としてのねじりコイルバネ１０３と、を主たる構成要素として備えている。
【００３１】
図７乃至図９に示すように、ストッパ機構１００を構成する回動レバー１０１は、側面視略Ｌ字形をなす樹脂製の一体成形品よりなり、Ｌ字形の曲がり部分の両端に突設した一対の支軸１１１，１１１を上面蓋体部１３側の支持孔（図示略）にそれぞれ嵌入することで、上面蓋体部１３に対して回動可能に取り付けられる。
回動レバー１０１は、図７に示すように、Ｌ字形の一方の辺に相当する板状の係合部１１２と、他方の辺に相当する一対のブラケット１１３，１１３とを有しており、一対のブラケット１１３，１１３は、前記支軸１１１の軸線方向に沿って互いに間隔をおいて配置されている。
【００３２】
前記係合部１１２には、支軸１１１を上面蓋体部１３側の支持孔に組み付ける際の便宜のためのスリット１１９が設けられており、一対のブラケット１１３，１１３は、スリット１１９を挟まない位置、つまり組み付けの際のスリット１１９を利用した撓みの影響を受けない位置に配置されている。両ブラケット１１３には、挟持片１０２を取り付けるための支持孔１１３ａが設けられている。
【００３３】
前記回動レバー１０１に取り付けられる挟持片１０２は、図１に示すように最終的にストッパ機構１００が上面蓋体部１３に取り付けられた時に、カード搬送路４１側に表面側が面する矩形の板状部１２２と、該板状部１２２の一対の対向辺の背面側に形成された一対の側壁１２３，１２３と、片方の側壁１２３との間に一方の前記ブラケット１１３を収容するスペースを確保しつつ、一対の側壁１２３，１２３の間に位置するように設けられた中間壁１２４と、を有している。
【００３４】
各側壁１２３に設けた軸孔１２３ａには、１本の支軸１２１の両端が嵌合されており、この支軸１２１を前記ブラケット１１３の支持孔１１３ａに嵌合することにより、その支軸１２１を中心に挟持片１０２が回動可能に回動レバー１０１のブラケット１１３に取り付けられている。なお、中間壁１２４には切欠１２４ａが設けられており、この切欠１２４ａが支軸１２１に嵌合している。
【００３５】
回動レバー１０１に挟持片１０２を組み付ける際には、図８に示すように、一方のブラケット１１３が一方の側壁１２３の外側に位置し、他方のブラケット１１３が他方の側壁１２３と中間壁１２４との間に位置するように組み付ける。図９に示すように、他方のブラケット１１３との干渉を逃げる為、板状部１２２には孔１２６が空けられている。
そして、前記挟持片１０２を回動自在に支持する支軸１２１が板状部１２２の片端側に寄せた位置に配置されているので、挟持片１０２は支軸１２１により片持ち支持されており、回動先端側に位置する板状部１２２の縁部１２２ａが、ブラケット１１３の先端よりも突出した位置で旋回するようになっている。
【００３６】
また、図８に示すように、回動レバー１０１と上面蓋体部１３との間には、回動レバー１０１を上面蓋体部１３に対して一定回転方向（カードＣの移動を許容する退避方向：矢印ｆ１）に回動付勢するねじりコイルバネ１０３が一方の支軸１１１の外周に巻装され、挟持片１０２と回動レバー１０１との間には、挟持片１０２を回動レバー１０１に対して一定方向（カードＣを挟持する挟持方向：矢印ｆ２）に弾性的に回動付勢するバネ部材であるねじりコイルバネ１０４が支軸１２１の外周に巻装されている。
【００３７】
前記挟持片１０２は、各ブラケット１１３と略平行な位置（図８，９で示す位置）を限度にしながら、その位置よりも係合部１１２側に揺動可能に回動レバー１０１に取り付けられており、これら回動レバー１０１と挟持片１０２との間には、ブラケット１１３と略平行な位置を超えて挟持片１０２が回動しないようにするための突当ストッパ１１５，１２５が設けられている（図７、参照）。
そして、前記ねじりコイルバネ１０３は、これら突当ストッパ１１５，１２５が互いに当接する方向に挟持片１０２を弾性的に回動付勢している。そこで、突当ストッパ１１５，１２５が互いに当接しない状態での挟持片１０２は、板状部１２２の表面側で当接する部材（本実施形態では、カードＣ）に対して弾性的に圧接することができる。
【００３８】
次に、上記構成のストッパ機構１００の動作について説明する。
先ず、図１に示すように、上記構成のストッパ機構１００は、回動レバー１０１を張り出し開口４１ｂ側（機器の背面側）に位置させ、挟持片１０２を第２押さえローラ４６ｂ側（機器の手前側）に位置させると共に、回動レバー１０１の係合部１１２を支軸１１１より下方に向けた姿勢で、上面蓋体部１３の所定位置に組み付けられる。
【００３９】
この様な組み付け状態において、係合部１１２の外側（機器の背面側）には、背面側筐体部１１における筐体１１ａの上端縁が隣接しており、上面蓋体部１３を閉じた状態では、前記ねじりコイルバネ１０３のバネ力で回動レバー１０１が図中反時計回り方向に付勢されているので、回動レバー１０１に組み付けた挟持片１０２がカード搬送路４１から離れた退避位置に保持され、カードＣの自由な移動を許容している。
【００４０】
尚、ねじりコイルバネ１０３のばね力により付勢された回動レバー１０１又は挟持片１０２は、上面蓋体部１３や他の筐体等に当接することでそれ以上の回動が規制されている。また、前記挟持片１０２は、この組み付け状態においてカード搬送路４１方向へ回動付勢されているが、前述した突当ストッパ１１５，１２５の作用により、ブラケット１１３と略平行な退避位置に保持されている。
【００４１】
そして、図２及び図３に示すように、上面蓋体部１３が矢印Ｆ１方向に持ち上げられる開動作に連動して、回動レバー１０１の係合部１１２が筐体１１ａの上端部に当たりながら移動することで、回動レバー１０１がねじりコイルバネ１０３のばね力に抗して図中時計回り方向に回動し、それにより回動レバー１０１の先端に取り付けてある挟持片１０２がカード搬送路４１内に突出する。
即ち、前記筐体１１ａの上端部が上面蓋体部１３の開閉動作に連動する前記係合部１１２の回動軌跡上に適宜配置されることで、回動レバー１０１が前記上面蓋体部１３の開閉動作に連動して回動する。
【００４２】
そこで、張り出し開口４１ｂ近傍のカード搬送路４１内にカードＣが詰まっている場合は、カードＣの板面に挟持片１０２の縁部１２２ａが圧接することで、ねじりコイルバネ１０４のばね力によりカードＣが上面カバー１３ａ側に押し付けられて挟持される。
そして、図４に示すように、上面蓋体部１３から内部カバー４２を矢印Ｆ２方向に引き倒して開状態にすると、その瞬間、カード搬送路４１が開放されることによって、カードＣに対する上記各ローラ４３ａ，４３ｂ，４６ａ，４６ｂによる支持がなくなるが、この時点では、上述したようにストッパ機構１００における挟持片１０２の縁部１２２ａがカードＣを上面カバー１３ａ側に弾性的に押し付けているので、カードＣを確実に上面カバー１３ａと挟持片１０２とで挟持することができる。
【００４３】
従って、上面蓋体部１３を略垂直な開状態にした状態で内部カバー４２を開状態にしても、カード搬送路４１に沿って配置された上記各ローラ間に挟持されていたカードＣが、支持を失って当該プリンタ１０の背面側に位置する張り出し開口４１ｂから落下することはない。
尚、上記ストッパ機構１００により落下を防止したカードＣは、カード搬送路４１の上流側又は下流側に押し出すか、内部カバー４２の開放部より摘み出すかして、簡単に取り出すことができる。
【００４４】
以上のように、本実施形態の媒体搬送機構によれば、上面蓋体部１３の開状態時には、ストッパ機構１００を構成する回動レバー１０１の挟持片１０２がカード搬送路４１内に突出することにより、カードＣを挟持して移動を阻止することができるので、上面蓋体部１３を開状態にして更に内部カバー４２を開いた際にも、張り出し開口４１ｂからのカードＣの落下を防止できる。
そこで、カードＣがカード搬送路４１内で詰まった時など、筐体背面側へのカードＣの落下を心配せずに、上面蓋体部１３に取り付けられた内部カバー４２を安心して開けることができ、カードＣを簡単に取り出すことができる。
【００４５】
また、前記ストッパ機構１００を構成する回動レバー１０１は、ねじりコイルバネ１０３のばね力で退避位置側に付勢されており、上面蓋体部１３の開操作に伴う係合部１１２と筐体１１ａの上端部との係合作用によりカード挟持側へ回動するように構成されているので、コンパクトな構成でカードＣの落下防止を図ることができる。
また、カードＣを上面カバー１３ａとの間で挟持する挟持片１０２は、ねじりコイルバネ１０４によって挟持方向に弾性付勢されているので、カードＣの厚さのバラツキに拘わらず、カードＣを安定的に挟持することができる。同様に、各構成部品間の組立誤差等も吸収できるので、部品精度や組立精度を高めることなく対応可能となる。
【００４６】
尚、本発明の媒体搬送機構における上面蓋体部、情報読取手段、内部カバー、媒体搬送路及び媒体移動阻止手段等の構成は、上記実施形態の構成に限定されるものではなく、本発明の趣旨に基づいて種々の形態を採りうることは云うまでもない。
例えば、上記実施形態では、前記挟持片１０２を退避位置に保持する保持手段としてのねじりコイルバネ１０３のばね力で回動レバー１０１を退避位置側に付勢し、該ねじりコイルバネ１０３の付勢力に抗する回動レバー１０１のカード挟持方向への回動が、上面蓋体部１３の開操作に伴う係合部１１２と筐体１１ａの上端部との係合作用により連動されるようにした場合について例示したが、回動レバー１０１をねじりコイルバネでカード挟持方向に弾性付勢すると共に、このねじりコイルバネのばね力に抗して挟持片１０２を退避位置に保持する保持手段としての係合突起等を筐体１１ａ側に設け、上面蓋体部１３が閉位置にあるときに係合し、且つ上面蓋体部１３の開操作時に係合を解除するようにしてもよい。
【００４７】
また、上記実施形態では、カードＣを挟持可能な弾性接触部を備えたストッパ部が、回動レバー１０１に揺動可能に取り付けられる挟持片１０２及びねじりコイルバネ１０４により構成された場合について例示したが、挟持片１０２及びねじりコイルバネ１０４を使用せずに、回動レバーに一体に設けたストッパ部の先端にゴム等の弾性材料から成る弾性接触部を設け、カードＣを直接挟持するように構成してもよい。この場合、ストッパ部の先端に設けたゴムが、カードＣの厚さのバラツキを吸収する。
【００４８】
更に、上記実施形態では、上面蓋体部１３の開状態時にカード搬送路４１内に突出することによりカードＣの移動を阻止する媒体移動阻止手段が、回動レバー１０１の挟持片１０２によりカードＣを上面カバー１３ａとの間に挟持する構成とされているが、必ずしもカードＣを挟持することにより移動を阻止する構成とする必要はない。
例えば、内部カバーと上面蓋体部との間に形成されたカード搬送路の全長がカードＣに比べて長く、回動レバーのストッパ部が突出する位置よりも上流のカード搬送路内でカードＣが詰まる可能性がある場合には、落下しようとするカードＣを受け止めることができる位置にストッパ部を突出させることによりカードＣの移動を阻止し、落下を阻止するように構成してもよい。
【００４９】
また、前述したようにストッパ機構１００は、必ずしも上面蓋体部１３側に設ける必要はなく、内部カバー４２側に設けることもできる。
また、上記実施形態においては、カード状の情報記録媒体として免許証等のカードＣを用いると共に、情報読取手段としてカード画像情報読み取りセンサ４４を用いたが、本発明はこれに限定されるものではなく、情報記録媒体として名刺や小切手、磁気カード等の他の情報記録媒体を用いたり、磁気カードリーダなどの他の情報読取手段を用いた媒体搬送機構にも適用できる。
【図面の簡単な説明】
【００５０】
【図１】本発明の一実施形態に係る媒体搬送機構を備えた情報読み取り手段の使用状態を示す要部断面図である。
【図２】図１に示した上面蓋体部の開動作状態を示す要部断面図である。
【図３】図２に示した上面蓋体部を完全に開いた状態を示す要部断面図である。
【図４】図３に示した上面蓋体部を開いた状態において更に内部カバーを開いた状態を示す要部断面図である。
【図５】図１に示した上面蓋体部を上面カバーを取り除いた状態で上から見た斜視図である。
【図６】図５に示した上面蓋体部を下から見た斜視図である。
【図７】図１に示したストッパ機構の構成を示す分解斜視図である。
【図８】図７に示したストッパ機構の組み立てた状態を示す斜視図である。
【図９】図８に示したストッパ機構を別の角度から見た状態を示す斜視図である。
【図１０】情報読取手段付きプリンタの構成を示す外観斜視図である。
【図１１】図１０に示した情報読取手段付きプリンタの部分拡大断面図である。
【図１２】図１０に示した情報読取手段付きプリンタの上面蓋体部を開いた状態の部分拡大断面図である。
【図１３】図１２に示した上面蓋体部を開いた状態において更に内部カバーを開いた状態を示す要部拡大断面図である。
【符号の説明】
【００５１】
１１・・・背面側筐体部、１１ａ・・・筐体、１３・・・上面蓋体部、４０・・・カード画像情報読み取り部（媒体搬送機構）、４１・・・カード搬送路（媒体搬送路）、４４・・・カード画像読み取りセンサ（情報読取手段）、４２・・・内部カバー、１００・・・ストッパ機構（媒体移動阻止手段）、１０１・・・回動レバー（回動部材）、１０２・・・挟持片（ストッパ部）、１０３・・・ねじりコイルバネ（保持手段）、１１２・・・係合部、Ｃ・・・カード（情報記録媒体）。
【図１】
2005072894.tif 000003
【図２】
2005072894.tif 000004
【図３】
2005072894.tif 000005
【図４】
2005072894.tif 000006
【図５】
2005072894.tif 000007
【図６】
2005072894.tif 000008
【図７】
2005072894.tif 000009
【図８】
2005072894.tif 000010
【図９】
2005072894.tif 000011
【図１０】
2005072894.tif 000012
【図１１】
2005072894.tif 000013
【図１２】
2005072894.tif 000014
【図１３】
2005072894.tif 000015